(57)【要約】【課題】  設置性および品質の向上を図ることができる高周波調理器を提供すること。【解決手段】  蒸気を生成するための水を貯蔵する水タンク１３を備え、加熱室内に高周波と蒸気とを供給して被加熱物を加熱処理する高周波調理器１０であり、水タンク１３が、加熱室を有する高周波調理器本体１１の下方に、前方に向けて着脱自在に配置されている高周波調理器１０。【選択図】  図１
2006017404.tif 000002
【特許請求の範囲】
【請求項１】
蒸気を生成するための水を貯蔵する水タンクを備え、加熱室内に高周波と前記蒸気とを供給して被加熱物を加熱処理する高周波調理器であって、
前記加熱室を有する高周波調理器本体の下方に設けられた底板に絞り加工を施すことにより載置面から離れるように形成された凹部に、前記水タンクが前面に向けて着脱自在に配置されていることを特徴とする高周波調理器。
【請求項２】
前記水タンクが、前記高周波調理器本体の底部に収納された電子機器における冷却経路の上流側に配置されていることを特徴とする請求項１に記載した高周波調理器。
【請求項３】
前記水タンクの内底面が排出口に向かって下がり勾配であることを特徴とする請求項１に記載した高周波調理器。
【請求項４】
前記内底面が略船底形状であることを特徴とする請求項３に記載した高周波調理器。
【発明の詳細な説明】
【技術分野】
【０００１】
本発明は、高周波と蒸気とを組み合わせて被加熱物を加熱処理する高周波調理器に関する。
【背景技術】
【０００２】
従来の高周波調理器の一例として、水タンクを高周波調理器本体の側部に配置した高周波調理器が知られている（例えば、特許文献１参照）。
【０００３】
特許文献１に開示された高周波調理器は、被加熱物を収容する加熱室に、高周波（マイクロ波）と蒸気とを供給して被加熱物を加熱処理する加熱調理器であり、高周波を発生する高周波発生部としてのマグネトロンと、加熱室内で蒸気を発生する蒸気発生部と、加熱室内の空気を撹拌・循環させる循環ファンと、加熱室内を循環する空気を加熱する室内気加熱ヒータとしてのコンベクションヒータと、加熱室の壁面に設けた検出用孔を通じて加熱室内の温度を検出する赤外線センサと、蒸気発生部へ水を供給するための水タンクとを備えている。
【０００４】
特許文献１の高周波調理器では、水タンクが、高周波調理器本体の側壁内に脱着自在に収納されている。水タンクは薄型の矩形状であり、上部が開口され、蓋を有している。蓋には取水管取付け部が設けられており、取水管取付け部の下方には蓋を貫通して底面付近まで延びる取水管が設けられている。
【特許文献１】特開２００４−０１１９９５号公報（図１）
【発明の開示】
【発明が解決しようとする課題】
【０００５】
ところが、上記特許文献１では、高周波調理器本体の側壁内に収納された水タンクが、加熱室およびコンベクションヒータに隣接しているために、内部に貯蔵された水が加熱される虞れがある。そのために、水が加熱しないようにするための断熱材を必要として、コスト面で不利になりうる。
また、水タンクが、高周波調理器本体の側壁内に着脱自在に収納されているために、水タンクを取り出す際のスペースを必要とするので、高周波調理器の側部を壁に寄せて設置することができず、設置性が悪い。
ところで、図１１に示すように、上記特許文献１と同様にして、水タンク１０１を側部に配置した高周波調理器１００がある。図１１では上下を反転して示している。高周波調理器１００は、高周波調理器本体１０２の底面１０３に形成された凹部１０４に、モータ１０５を中心として、このモータ１０５の回りに、マグネトロン１０６と、制御板１０７と、インバータ１０８と、循環ファン１０９と、ヒータ１１０と、からなる電子機器１１１が取り付けられている。そして、凹部１０４には、底板１１２がねじ止めされ、底板１１２の四方にゴム脚１１３が取り付けられる。
また、高周波調理器１００では、ドア１１４の下方にトレイ１１５が取り付けられている。このトレイ１１５は、加熱室１１６内に高周波と蒸気とが供給されて被加熱物が加熱処理された後にドア１１４が開けられた際に、加熱室１１６内の蒸気が結露水となって流れ出てくるのを受け取るようになっている。トレイ１１５は、ドア１１４が開けられてから取り出される。
高周波調理器１００では、循環ファン１０９を作動させることにより、前面下側から空気を吸い込んでマグネトロン１０６を冷却し、さらに横方向に排出してインバータ１０８を冷却する。
そして、このような高周波調理器１００においても、水タンク１０１が高周波調理器本体１０２の側壁１１７内に収納されているために、上記特許文献１と同様に、内部に貯蔵された水が加熱される虞れがあるとともに、側部を壁に寄せて設置することができない。
【０００６】
このような課題に対して、高周波調理器本体の下方に水タンクを配置することが考えられるが、以下のような問題を解消する必要がある。
すなわち、一般に高周波調理器は、漏波対策として適宜な絞り加工を施した鉄板等の金属板を溶接、かしめ等により接続して全体を覆っている。高周波調理器本体の下方には金属製の底板が設けられ、この底板内に電子機器等が収納されている。
そして、高周波調理器本体の下方に水タンクを配置するにあたって、底板に設けた開口から内部に水タンクを収容する構造は、前述した漏波対策の点から好ましくない。
一方、底板のさらに下方に水タンクを配置する構造では、水タンクの厚み分、高周波調理器の全高が増加し、大型化する。
【０００７】
本発明は、上記事情に鑑みてなされたものであって、その目的は、設置性を向上できるとともに漏波を防止し、かつ、小型化を実現できる高周波調理器を提供することにある。
【課題を解決するための手段】
【０００８】
本発明の上記目的は、以下の構成により達成される。
（１）  蒸気を生成するための水を貯蔵する水タンクを備え、加熱室内に高周波と前記蒸気とを供給して被加熱物を加熱処理する高周波調理器であって、前記加熱室を有する高周波調理器本体の下方に設けられた底板に絞り加工を施すことにより載置面から離れるように形成された凹部に、前記水タンクが前面に向けて着脱自在に配置されていることを特徴とする高周波調理器。
【０００９】
このように構成された高周波調理器においては、蒸気を生成するための水を貯蔵する水タンクが高周波調理器本体の下方に、前面に向けて着脱自在に配置されている。従って、水タンクが加熱室等に隣接されず、加熱室が高温になったとしても、その熱は上方に移動するために、内部に貯蔵された水が加熱されないとともに、側部を壁に寄せて設置できる。これらにより、設置性の向上を図ることができる。
さらに、高周波調理器本体の下方に設けられた底板に絞り加工を施すことにより載置面から離れるように形成された凹部に水タンクが配置されているため、漏波対策を阻害しないとともに、全高が増加しないため小型化できる。
【００１０】
（２）  前記水タンクが、前記高周波調理器本体の底部に収納された電子機器における冷却経路の上流側に配置されていることを特徴とする請求項１に記載した高周波調理器。
【００１１】
このように構成された高周波調理器においては、高周波調理器本体の前面から後面に向けて設定される電子機器の冷却経路の上流側に水タンクが配置されるために、高周波調理器本体の前方から導入された冷却媒体が、水タンクを舐めることにより水タンク付近において一旦冷やされてから、電子機器側に送給されるので、より冷たくなった冷却媒体によって電子機器を効率よく冷却することができ、冷却効率を向上させることができる。
【００１２】
（３）  前記水タンクの内底面が排出口に向かって下がり勾配であることを特徴とする請求項１に記載した高周波調理器。
【００１３】
このように構成された高周波調理器においては、前記水タンクの内底面が排出口に向かって下がり勾配であるため、水タンク内の水を確実、かつ、最後まで排出口から排出でき、これにより安定して所望量の蒸気を生成できる。
【００１４】
（４）  前記水タンクの内底面が略船底形状であることを特徴とする請求項３に記載した高周波調理器。
【００１５】
このように構成された高周波調理器においては、水タンクの内底面が略船底形状であるため、水タンクの内底面が平坦である場合に比較して、水タンク内の水を確実に排出口まで案内できる。
【発明の効果】
【００１６】
本発明の高周波調理器によれば、水タンク内の水が加熱される、設置性が悪い、電子機器を損傷しかねない、という問題を解消でき、これにより、設置性および品質の向上を図ることができるという効果が得られる。
【発明を実施するための最良の形態】
【００１７】
以下、本発明の高周波調理器に係る複数の好適な実施の形態例を図面に基づいて詳細に説明する。
【００１８】
（第１実施形態）
図１は本発明に係る第１実施形態の高周波調理器を説明する分解斜視図、図２は図１に示す水タンクの断面図である。
【００１９】
図１に示すように、本発明の第１実施形態である高周波調理器１０は、高周波調理器本体１１と、トレイ１２と、水タンク１３と、から構成されており、トレイ１２と水タンク１３とが高周波調理器本体１１の前面に着脱自在に組付けられている。
【００２０】
高周波調理本体１１は、底部の底板１４の上方部に、循環ファン１５を中心として、マグネトロン、制御板、インバータ、モータ、等からなる電子機器（図９参照）１６が取り付けられている。
【００２１】
底板１４は、漏波対策として高周波調理器本体１１の下方を閉塞するものであり、周囲に４個のねじ孔１７が形成されている。ねじ孔１７には、ねじ（不図示）が挿通され、それらねじが高周波調理器本体１１の下面にねじ込まれることにより、高周波調理器本体１１の底部に収納されている電子機器１６の下方を閉塞して高周波調理器本体１１に組み付けられる。
【００２２】
底板１４の前面には、トレイ収納部１８と、水タンク収納部１９とが形成されている。  トレイ収納部１８は、トレイ１２を収納するものであって、高周波調理器本体１１の下方側において、Ｌ字形状の凹状に形成されている。水タンク収納部１９は、水タンク１３を収納するものであって、トレイ収納部１８の中央部に、高周波調理器本体１１の後面に向けて深さを有する四角形の孔形状に形成されている。
これらのトレイ収納部１８および水タンク収納部１９は、底板１４に絞り加工を施すことにより高周波調理器１０を載置する調理台等の載置面から離れるように形成された凹部である。
したがって、トレイ１２および水タンク１３は、それぞれトレイ収納部１８および水タンク収納部１９に収容されることにより、底板１４の下方に配置されることになる。
そして、水タンク収納部１９の後板２０には、中央部にジョイント挿通孔２１が形成されており、ジョイント挿通孔２１の両側に複数の空気孔２２が形成されている。ジョイント挿通孔２１および空気孔２２は、高周波調理器本体１１の前面から底板１４の上面である高周波調理本体１１の底部の凹部（図９参照）内に連通されている。
【００２３】
トレイ１２は、例えば透明または半透明の樹脂を素材として成形されており、高周波調理器本体１１の横幅と同等の幅寸法を有するとともに、予め定められた深さ寸法を有し、上方が開放されている。トレイ１２は、高周波調理器本体１１の前面からトレイ収納部１８に収められることにより、開放された上方部分がドアパネル２３の下側に配置される。それにより、高周波と蒸気とが供給されて被加熱物が加熱処理された後にドアパネル２３が開けられた際に、ドアパネル２３の内面をつたって流れ出してくる結露水を受け入れる。
【００２４】
水タンク１３は、タンク本体２４と、蓋２５と、からなる。タンク本体２４は、トレイ１２と同様にして、例えば透明または半透明の樹脂を素材として成形されており、トレイ１２の後板２６に一体的に結合されていて、上方が開放されている。タンク本体２４は、水を貯蔵してから高周波調理器本体１１の前面から水タンク収納部１９に収められることにより、高周波調理器本体１１の下方に配置される。これにより、タンク本体２４は、加熱室等に隣接されず、加熱室が高温になったとしても、その熱は上方に移動するために、内部に貯蔵された水が加熱されることがない。また、タンク本体２４は、高周波調理器本体１１の底部に収納された電子機器１６に対して上方に配置されないために、電子機器１６を損傷することがない。蓋２５は、タンク本体２４の上方に被着されることによって開放部分を覆う。タンク本体２４は、トレイ１２に一体成形されても良いし、別体に作成されてから接着剤等によって接合されても良い。
【００２５】
そして、タンク本体２４の前面には、トレイ１２のほぼ中央部に連通接続された連通管２７が配置されている。また、タンク本体２４の後面には、タンク本体２４の内側に連通された円筒形状のジョイント２９が備えられている。ジョイント２９は、水タンク１３が水タンク収納部１９内に収められる際に、水タンク収納部１９のジョイント挿通孔２１に挿通されることにより、電子機器１６とともに配置されている蒸気発生部（不図示）に連通接続されて、タンク本体２４に貯蔵している水を蒸気発生部へ供給する。タンク本体２４は、水タンク収納部１９内に収納されると、高周波調理器本体１１の前面から後面に向けて設定される電子機器１６の冷却経路の上流側に配置される。そして、循環ファン１５が作動されると、循環ファン１５によって生じた負圧により、水タンク収納部１９の後板２０における複数の空気孔２２を介して水タンク収納部１９内の空気が電子機器１６側に導入される。これにより、高周波調理器本体１１の前方から導入された、冷却媒体である空気が、タンク本体２４を舐めることによりタンク本体２４付近において一旦冷やされてから、電子機器１６側に送給されるので、より冷たくなった空気によって電子機器１６を効率よく冷却することができる。
【００２６】
図２に示すように、連通管２７は、タンク本体２４の内側から、トレイ１２の後板２６を貫通してトレイ１２の前板２８の内壁まで連通されているために、高周波調理器本体１１の前面側に配置された目盛部３０を通して水タンク１３内に貯蔵されている水の量を目視で確認することができる。
これらのトレイ１２および水タンク１３は、ジョイント挿通孔２１にジョイント２９が挿通されるとともに、トレイ１２に一対設けられた略Ｃ字状の係合部１２Ａがそれぞれゴム脚（図１１参照）に係合されて支持される。
【００２７】
このような高周波調理器１０では、水タンク１３のタンク本体２４に水を貯蔵してから、蓋２５を被着し、タンク本体２４を先にして水タンク収納部１９に挿入していく、同時に、トレイ１２をトレイ収納部１８内に挿入していくことにより、トレイ１２の開放された上方部分がドアパネル２３の下側に配置されて高周波調理器本体１１に組付けられる。そして、タンク本体２４内に貯蔵されている水の量は、トレイ１２の前面の目盛部３０を見ることにより確認される。タンク本体２４内の水の量が少なくなっていた場合には、トレイ１２および水タンク１３を引き出して水の補給を行う。
【００２８】
以上、前述した高周波調理器１０によれば、蒸気を生成するための水を貯蔵する水タンク１３が高周波調理器本体１１の下方に、前方に向けて着脱自在に配置されている。従って、水タンク１３が加熱室等に隣接されず、加熱室が高温になったとしても、その熱は上方に移動するために、内部に貯蔵された水が加熱されず、側部を壁に寄せて設置できる。  また、水タンク１３が、高周波調理器本体１１の底部に収納された電子機器１６に対して上方に配置されないために、万が一に、水タンク１３内の水が漏れたとしても、その水は、底板１４よりも下方に流れ出るだけなので電子機器１６を損傷することがない。これらにより、設置性および品質の向上を図ることができる。
【００２９】
また、前述した高周波調理器１０によれば、高周波調理器本体１１の前面から後面に向けて設定される電子機器１６の冷却経路の上流側に水タンク１３が配置されるために、高周波調理器本体１１の前方から導入された空気が、水タンク１３を舐めることにより水タンク１３付近において一旦冷やされてから、電子機器１６側に送給されるので、より冷たくなった空気によって電子機器１６を効率よく冷却することができ、冷却効率を向上させることができる。
【００３０】
また、前述した高周波調理器１０によれば、高周波調理器本体の側部に水タンクが配置されたものと比べて、高周波調理器本体の前面における幅の全部を利用して水タンク１３を配置することができるので、水タンク１３の容量を大きくすることができるとともに、高周波調理器２０全体を薄型化することができる。
【００３１】
さらに、漏波対策として設けられた底板１４の凹部であるトレイ収納部１８および水タンク収納部１９にそれぞれトレイ１２および水タンク１３が配置されるため、底板１４に漏波対策を阻害する開口等を設ける必要がないとともに、トレイ１２および水タンク１３の厚みが高周波調理器１０の全高に影響を与えることがなく、大型化を回避できる。
【００３２】
（第２実施形態）
次に、本発明に係る第２実施形態の高周波調理器について、図３（ａ），（ｂ）を参照して説明する。図３（ａ）は本発明に係る第２実施形態の高周波調理器に用いられる水タンクとトレイとの組付け状態での外観斜視図、図３（ｂ）は図３（ａ）の水タンクの単体外観斜視図である。なお、第１実施形態と同一または同等部分については、説明を省略或いは簡略化する。
【００３３】
図３（ａ）に示すように、第２実施形態の高周波調理器４０に用いられるトレイ４１は、例えば透明または半透明の樹脂を素材として成形されており、高周波調理器本体１１の横幅と同等の幅寸法を有するとともに、予め定められた深さ寸法を有し、上方が開放されている。トレイ４１は、水タンク４２の前面に形成された延出部４３上に載置されることにより水タンク４２に組み付けられる。トレイ４１は、図１を参照して、高周波調理器本体１１の前面からトレイ収納部１８に収められることにより、開放された上方部分がドアパネル２３の下側に配置される。それにより、高周波と蒸気とが供給されて被加熱物が加熱処理された後にドアパネル２３が開けられた際に、ドアパネル２３の内面をつたって流れ出してくる結露水を受け入れる。
【００３４】
図３（ｂ）に示すように、第２実施形態の高周波調理器４０に用いられる水タンク４２は、トレイ４１と同様にして、例えば透明または半透明の樹脂を素材として成形されており、高さの高いタンク本体４４の前方に、トレイ４１と同一の幅寸法を有して高さが低く形成された延出部４３を有する。タンク本体４４および延出部４３内に水が貯蔵される。  水タンク４２は、図１を参照して、水を貯蔵してから高周波調理器本体１１の前面から水タンク収納部１９に収められることにより、高周波調理器本体１１の下方に配置される。このとき、水タンク４２の延出部４３が、高周波調理器本体１１の前面に配置されているために、延出部４３を通して水タンク４２内に貯蔵されている水の量を目視で確認することができる。水タンク４２は、延出部４３上にトレイ４１が一体成形されても良いし、別体に作成されてから接着等によって接合されても良い。水タンク４２には、例えばタンク本体４４の一部に水補給口（不図示）が設けられる。
【００３５】
第２実施形態の高周波調理器４０は、第１実施形態と同様の作用効果を奏するために、それらの説明は省略する。
【００３６】
（第３実施形態）
次に、本発明に係る第３実施形態の高周波調理器について、図４（ａ），（ｂ）を参照して説明する。図４（ａ）は本発明に係る第３実施形態の高周波調理器に用いられる水タンクとトレイとの組付け前の外観斜視図、図４（ｂ）は図４（ａ）の水タンクとトレイとの組付け状態での断面図である。第１実施形態と同一または同等部分については、説明を省略或いは簡略化する。
【００３７】
図４（ａ）に示すように、第３実施形態の高周波調理器５０に用いられるトレイ５１は、例えば透明または半透明の樹脂を素材として略Ｔ字形状の板状に形成されており、高周波調理器本体１１の横幅と同等の幅寸法をもって上方が開放されていて予め定められた深さ寸法を有するトレイ本体５２と、このトレイ本体５２に一体成形された蓋部５３とを有する。トレイ５１は、水タンク５４の上面の開放部分に被着されることにより水タンク５４を覆って組み付けられる。トレイ５１は、図１を参照して、高周波調理器本体１１の前面からトレイ収納部１８に収められることにより、開放された上方部分がドアパネル２３の下側に配置される。それにより、高周波と蒸気とが供給されて被加熱物が加熱処理された後にドアパネル２３が開けられた際に、ドアパネル２３の内面をつたって流れ出してくる結露水を受け入れる。
【００３８】
第３実施形態の高周波調理器５０に用いられる水タンク５４は、トレイ５１と同様にして、例えば透明または半透明の樹脂を素材として略Ｔ字形状で上部が開放された箱状に形成されている。
【００３９】
図４（ｂ）に示すように、水タンク５４は、トレイ５１が上部に被着されることにより閉塞される。そして、図１を参照して、水を貯蔵してから高周波調理器本体１１の前面から水タンク収納部１９に収められることにより、高周波調理器本体１１の下方に配置される。このとき、水タンク５４の前面が、高周波調理器本体１１の前面に配置されるために、前面を通して水タンク５４内に貯蔵されている水の量を目視で確認することができる。
【００４０】
第３実施形態の高周波調理器５０は、第１実施形態と同様の作用効果を奏するために、それらの説明は省略する。特に、高周波調理器５０では、水タンク５４およびトレイ５１を取り出して、水タンク５４およびトレイ５１を分解できるために、日常の掃除がし易いので、衛生面で良好である。また、水タンク５４は、水タンク収納部１９に収めた状態において、後方からライト等を照射させることで、水の残量確認を、より簡単に且つ確実に行うことができる。
【００４１】
（第４実施形態）
次に、本発明に係る第４実施形態の高周波調理器について、図５（ａ），（ｂ）を参照して説明する。図５（ａ）は本発明に係る第４実施形態の高周波調理器に用いられる水タンクとトレイとの組付け状態での外観斜視図、図５（ｂ）は図５（ａ）の水タンクとトレイとの組付け状態での断面図である。なお、第１実施形態と同一または同等部分については、説明を省略或いは簡略化する。
【００４２】
図５（ａ）に示すように、第４実施形態の高周波調理器６０に用いられるトレイ６１は、水タンク６２の前面下方に組み付けられている。このトレイ６１は、高周波調理器本体１１の横幅と同等の幅寸法をもって上方が開放されていて予め定められた深さ寸法を有する。
【００４３】
第４実施形態の高周波調理器６０に用いられる水タンク６２は、例えば透明または半透明の樹脂を素材として略Ｔ字形状の中空箱状に形成されており、タンク本体６３の前面に環状部６４を一体に有する。環状部６４は、トレイ６１の外形に相似する環状形に形成されており、内部がタンク本体６３内に連通されている。また、環状部６４の中央部には、上下に貫通した水滴流路６５が形成されている。水タンク６２には、例えばタンク本体６３の一部に水補給口（不図示）が設けられる。
【００４４】
図５（ｂ）に示すように、トレイ６１は、水タンク６２の環状部６４の下側に組付けられる。そして、図１を参照して、高周波調理器本体１１の前面からトレイ収納部１８に収められることにより、環状部６４の水滴流路６５を介して上方部分がドアパネル２３の下側に配置される。それにより、高周波と蒸気とが供給されて被加熱物が加熱処理された後にドアパネル２３が開けられた際に、ドアパネル２３の内面をつたって流れ出してくる結露水を受け入れる。水タンク６２は、図１を参照して、水を貯蔵してから高周波調理器本体１１の前面から水タンク収納部１９に収められることにより、高周波調理器本体１１の下方に配置される。このとき、水タンク６２の環状部６４が、高周波調理器本体１１の前面に配置されるために、環状部６４を通して水タンク６２内に貯蔵されている水の量を目視で確認することができる。
【００４５】
第４実施形態の高周波調理器６０は、第１実施形態と同様の作用効果を奏するために、それらの説明は省略する。特に、高周波調理器６０では、トレイ６１のみを取り出して日常の掃除を行うことができるので、衛生面で良好である。
【００４６】
（第５実施形態）
次に、本発明に係る第５実施形態の高周波調理器について、図６（ａ），（ｂ）を参照して説明する。図６（ａ）は本発明に係る第５実施形態の高周波調理器に用いられる水タンクとトレイとの組付け状態での外観斜視図、図６（ｂ）は図６（ａ）の水タンクの単体外観斜視図である。なお、第１実施形態と同一または同等部分については、説明を省略或いは簡略化する。
【００４７】
図６（ａ）に示すように、第５実施形態の高周波調理器７０に用いられるトレイ７１は、例えば透明または半透明の樹脂を素材として成形されており、高周波調理器本体１１の横幅と同等の幅寸法を有し、左側の半分に深さが浅い第１トレイ部７２が形成され、右側の半分に深さが深い第２トレイ部７３が一体に成形されて、上方が開放されている。トレイ７１は、水タンク７４の前面に形成された延出部７５上に組み付けられる。トレイ７１は、図１を参照して、高周波調理器本体１１の前面からトレイ収納部１８に収められることにより、開放された上方部分がドアパネル２３の下側に配置される。それにより、高周波と蒸気とが供給されて被加熱物が加熱処理された後にドアパネル２３が開けられた際に、ドアパネル２３の内面をつたって流れ出してくる結露水を受け入れる。
【００４８】
図６（ｂ）に示すように、第５実施形態の高周波調理器７０に用いられる水タンク７４は、トレイ４１と同様にして、例えば透明または半透明の樹脂を素材として成形されており、タンク本体７６の前方に、トレイ７１の第１トレイ部７２の下側に載置される延出部７５が突出形成されている。水タンク７４は、タンク本体７６および延出部７５内に水が貯蔵される。水タンク７４は、図１を参照して、水を貯蔵してから高周波調理器本体１１の前面から水タンク収納部１９に収められることにより、高周波調理器本体１１の下方に配置される。このとき、水タンク７４の延出部７５が、高周波調理器本体１１の前面に配置されているために、延出部７５を通して水タンク７４内に貯蔵されている水の量を目視で確認することができる。水タンク７４は、延出部７５上にトレイ７１が一体成形されても良いし、別体に作成されてから接着剤等によって接合されても良い。水タンク７４には、例えばタンク本体７６の一部に水補給口（不図示）が設けられる。
【００４９】
第５実施形態の高周波調理器７０は、第１実施形態と同様の作用効果を奏するために、それらの説明は省略する。なお、トレイ７１の第１，第２トレイ部７２，７３は、左右勝手を適宜変更可能である。もちろん、その場合に、水タンク７４の延出部７５も左右に位置を変更される。
【００５０】
（第６実施形態）
次に、本発明に係る第６実施形態の高周波調理器について、図７を参照して説明する。図７は本発明に係る第６実施形態の高周波調理器に用いられる水タンクとトレイとの組付け前の外観斜視図である。なお、第１実施形態と同一または同等部分については、説明を省略或いは簡略化する。
【００５１】
図７に示すように、第６実施形態の高周波調理器８０に用いられるトレイ８１は、例えば透明または半透明の樹脂を素材として成形されており、高周波調理器本体１１の横幅の左半分の幅寸法を有し、予め定められた深さを有して上方が開放されている。トレイ８１は、水タンク８２の前面に形成された延出部８３の右側に組み付けられる。
【００５２】
第６実施形態の高周波調理器８０に用いられる水タンク８２は、トレイ８１と同様にして、例えば透明または半透明の樹脂を素材として成形されており、タンク本体８４の前方に、高周波調理器本体１１の横幅の左半分の幅寸法を有する延出部８３が突出形成されている。水タンク８２は、タンク本体８４および延出部８３内に水が貯蔵される。そして、水タンク８２の延出部８３上に、補助トレイ部８５が形成されている。この補助トレイ部８５は、高周波調理器本体１１の横幅の左半分の幅寸法を有しており、左方側端部に対して下方に傾斜した右方側端部が、トレイ８１の左側の端部の上方に被さって配置される。  水タンク８２には、例えばタンク本体８４の一部に水補給口（不図示）が設けられる。
【００５３】
このような高周波調理器８０において、水タンク８２は、図１を参照して、水を貯蔵してから高周波調理器本体１１の前面から水タンク収納部１９に収められることにより、高周波調理器本体１１の下方に配置される。このとき、水タンク８２の延出部８３が、高周波調理器本体１１の前面に配置されているために、延出部８３を通して水タンク８２内に貯蔵されている水の量を目視で確認することができる。また、トレイ８１は、図１を参照して、高周波調理器本体１１の前面からトレイ収納部１８に収められることにより、開放された上方部分がドアパネル２３の下側に配置される。また、水タンク８２の補助トレイ部８５がドアパネル２３の下側に配置される。それにより、トレイ８１と補助トレイ部８５とにより、高周波と蒸気とが供給されて被加熱物が加熱処理された後にドアパネル２３が開けられた際に、ドアパネル２３の内面をつたって流れ出してくる結露水を受け入れる。このとき、補助トレイ部８５上に落下した結露水は、傾斜によって、右方側端部からトレイ８１内に落下する。
【００５４】
第６実施形態の高周波調理器８０は、第１実施形態と同様の作用効果を奏するために、それらの説明は省略する。なお、補助トレイ部８５は、左右勝手を適宜変更可能である。  もちろん、その場合に、水タンク８２の延出部８３も左右に位置を変更され、トレイ８１も同様に左右に位置を変更される。
【００５５】
次に、本発明に係る高周波調理器の変形例について、図８を参照して説明する。図８は本発明に係る高周波調理器の変形例の高周波調理器本体と水タンクとの組付け前の断面図である。なお、第１実施形態と同一または同等部分については、説明を省略或いは簡略化する。
【００５６】
図８に示すように、本変形例の高周波調理器９０は、電子機器１６に含まれるポンプ９１と水タンク９２とが一体的なモジュールとして形成されている。ポンプ９１および水タンク９２は、ケース９３内に収納される。
【００５７】
このような高周波調理器９０では、高周波調理器本体１１の下方を閉塞する底板１４の前面に凹状の組付け部９４が形成されており、この組付け部９４に、ポンプ９１およぶ水タンク９２を収納したケース９３が組み付けられる。これにより、一般的に、熱に弱いポンプ９１が、加熱室から離れて配置されるとともに、底板１４の下側に配置されることによって、ポンプ９１に熱に与えないようにできるので、ポンプ９１の性能を保証することができる。
【００５８】
ところで、前述した各実施形態において、水タンク内の水を排出口であるジョイントから確実、かつ、最後まで排出するためには、水タンクの内底面がジョイントに向かって下り勾配であることが好ましい。
図９には、前述した第３実施形態における水タンク５４Ａの内底面５４Ｂをジョイント２９に向かって下り勾配とした例が示されている。
内底面５４Ｂは、ジョイント２９の延長線がジョイント２９の基端部に向かって下り勾配となる最下部５４Ｃとなっていて、かつ、この最下部５４Ｃを境界として一対の平坦面５４Ｄが対称に形成されている。これらの平坦面５４Ｄは、最下部５４Ｃに向かって下り勾配となっている。従って、内底面５４Ｂは、いわゆる略船底形状となっている。
【００５９】
このような水タンク５４Ａによれば、その内底面５４Ｂがジョイント２９に向かって下がり勾配であるため、内部の水を確実、かつ、最後までジョイント２９から排出でき、これにより安定して所望量の蒸気を生成できる。
特に、この水タンク５４Ａによれば、内底面５４Ｂが略船底形状であるため、内底面が平坦である場合に比較して、内部の水を確実にジョイント２９まで案内できる。
【００６０】
また、前述した各実施形態では、トレイおよび水タンクが、高周波調理器本体に設けられたジョイント挿通孔にジョイントが挿通されるとともに、略Ｃ字状の係合部がそれぞれゴム脚に係合されて支持されていたが、図１０に他の支持構造を示す。
図１０（Ａ）に示す水タンク４４Ａは、両側面にリブ４４Ｂが設けられている。そして、水タンク４４Ａは、これらのリブ４４Ｂを水タンク収納部１９に設けられた溝１９Ａに挿入することにより、所定位置まで案内され、かつ、保持される。
なお、リブを水タンク収納部に設けるとともに溝を水タンクに設けてもよい。
図１０（Ｂ）に示す支持構造は、水タンク収納部１９の下方開口に支持板１９Ｂをビス１９Ｃにより底板１４に固定するものである。
【００６１】
なお、本発明は、前述した各実施形態に限定されるものではなく、適宜、変形、改良等が可能である。
例えば、トレイの幅寸法および深さ寸法、水タンクの幅寸法および深さ寸法、等は、適用される高周波調理器のデザインを考慮して適宜選択設定されるのが好ましい。
【図面の簡単な説明】
【００６２】
【図１】本発明に係る第１実施形態の高周波調理器を説明する分解斜視図である。
【図２】図１に示した水タンクの断面図である。
【図３】（ａ）は本発明に係る第２実施形態の高周波調理器に用いられる水タンクとトレイとの組付け状態での外観斜視図、（ｂ）は（ａ）の水タンクの単体外観斜視図である。
【図４】（ａ）は本発明に係る第３実施形態の高周波調理器に用いられる水タンクとトレイとの組付け前の外観斜視図、（ｂ）は（ａ）の水タンクとトレイとの組付け状態での断面図である。
【図５】（ａ）は本発明に係る第４実施形態の高周波調理器に用いられる水タンクとトレイとの組付け状態での外観斜視図、（ｂ）は（ａ）の水タンクとトレイとの組付け状態での断面図である。
【図６】（ａ）は本発明に係る第５実施形態の高周波調理器に用いられる水タンクとトレイとの組付け状態での外観斜視図、（ｂ）は（ａ）の水タンクの単体外観斜視図である。
【図７】本発明に係る第６実施形態の高周波調理器に用いられる水タンクとトレイとの組付け前の外観斜視図である。
【図８】本発明に係る高周波調理器の変形例の高周波調理器本体と水タンクとの組付け前の断面図である。
【図９】本発明に係る水タンクの変形例を示す要部斜視図である。
【図１０】本発明に係る水タンクとトレイとの組付け状態の変形例を示す模式図である。
【図１１】従来の高周波調理器の分解斜視図である。
【符号の説明】
【００６３】
１０，４０，５０，６０，７０，８０，９０  高周波調理器
１１                                      高周波調理器本体
１３，４２，５４，６２，７４，８２，９２  水タンク
１６                                      電子機器
【図１】
2006017404.tif 000003
【図２】
2006017404.tif 000004
【図３】
2006017404.tif 000005
【図４】
2006017404.tif 000006
【図５】
2006017404.tif 000007
【図６】
2006017404.tif 000008
【図７】
2006017404.tif 000009
【図８】
2006017404.tif 000010
【図９】
2006017404.tif 000011
【図１０】
2006017404.tif 000012
【図１１】
2006017404.tif 000013